(57)【要約】【課題】複数の植物の栽培制御を同時に行うことができる技術を提供する。【解決手段】仕切り位置が可変な複数の可変ユニットで構成される苗床部と、前記苗床部の各可変ユニット内で栽培される植物の栽培用シナリオデータを保存する記憶部と、前記記憶部に保存されている栽培用シナリオデータに基づいて、各可変ユニット内での植物の栽培を制御する制御部と、を有することによって課題を解決する。【選択図】図６
2015008698.tif 000002
【特許請求の範囲】
【請求項１】
仕切り位置が可変な複数の可変ユニットで構成される苗床部と、
前記苗床部の各可変ユニット内で栽培される植物の栽培用シナリオデータを保存する記憶部と、
前記記憶部に保存されている栽培用シナリオデータに基づいて、各可変ユニット内での植物の栽培を制御する制御部と、
を有する家庭用植物栽培器。
【請求項２】
前記苗床部は、矩形形状であり、
苗床を仕切る仕切り材の数に応じた複数の可変ユニットに分割されている請求項１記載の家庭用植物栽培器。
【請求項３】
前記苗床部は、柱体形状であり、
苗床を仕切る仕切り材の数に応じた複数の可変ユニットに分割されている請求項１記載の家庭用植物栽培器。
【請求項４】
前記仕切り材の数は可変であり、
前記苗床部は、前記仕切り材の数に応じた複数の可変ユニットに分割されている請求項２又は３記載の家庭用植物栽培器。
【請求項５】
前記仕切り材の仕切り位置は可変であり、
前記苗床部は、前記仕切り材の数に応じた複数の仕切り位置が可変な可変ユニットに分割されている請求項２乃至４何れか１項記載の家庭用植物栽培器。
【請求項６】
仕切り位置が可変な複数の可変ユニットで構成される苗床部を有する家庭用植物栽培器内での植物の栽培を、予め記憶部に保存されている前記苗床部の各可変ユニット内で栽培される植物の栽培用シナリオデータに基づいて、可変ユニット毎に制御する制御機能と、
前記制御機能が前記制御に用いる新たな栽培用シナリオデータをダウンロードするダウンロード機能と、
前記制御機能が前記制御に用いる記憶部に保存されている栽培用シナリオデータを、ユーザーの指示に基づいて編集する編集機能と、
前記編集機能により編集された栽培用シナリオデータをアップロードするアップロード機能と、
を有するシステム。
【発明の詳細な説明】
【技術分野】
【０００１】
本発明は、家庭用植物栽培器及びシステムに関する。
【背景技術】
【０００２】
植物の栽培管理が可能な栽培ユニットとして、例えば、特許文献１に開示されている技術が知られている。特許文献１に開示されている技術では、栽培ユニットにおいて、栽培管理プログラムを記憶しているコンピュータが、測定器から得られる測定情報に応じて供給する水や肥料の供給量等を制御している。
【先行技術文献】
【特許文献】
【０００３】
【特許文献１】特開２０１１−３６１４５号公報
【発明の概要】
【発明が解決しようとする課題】
【０００４】
しかし、特許文献１に開示されている技術では、複数の植物の栽培制御を同時に行うことはできない。
本発明は、複数の植物の栽培制御を同時に行うことができる技術を提供することを目的とする。
【課題を解決するための手段】
【０００５】
そこで、本発明は、仕切り位置が可変な複数の可変ユニットで構成される苗床部と、前記苗床部の各可変ユニット内で栽培される植物の栽培用シナリオデータを保存する記憶部と、前記記憶部に保存されている栽培用シナリオデータに基づいて、各可変ユニット内での植物の栽培を制御する制御部と、を有する。
【発明の効果】
【０００６】
本発明によれば、複数の植物の栽培制御を同時に行うことができる技術を提供することができる。
【図面の簡単な説明】
【０００７】
【図１】家庭用植物栽培器のハードウェア構成の一例を示す図である。
【図２】苗床部の構成の一例を示す図である。
【図３】家庭用植物栽培器の機能構成の一例を示す図である。
【図４】表示部に表示される表示画面の一例を示す図である。
【図５】栽培スクリプトの一例を示す図である。
【図６】実施形態１における処理の一例を示すフローチャートである。
【図７】実施形態２におけるシステム構成の一例を示す図である。
【発明を実施するための形態】
【０００８】
以下、本発明を実施するための最良の形態について図面を用いて説明する。
＜実施形態１＞
図１は、本実施形態における家庭用植物栽培器１００のハードウェア構成の一例を示す図である。
家庭用植物栽培器１００は、制御部１０１、記憶部１０２、ネットワークＩ／Ｆ（Ｉｎｔｅｒｆａｃｅ）１０３、入力部１０４、表示部１０５、苗床部１０６、養分供給部１０７及び照明部１０８を有する。
制御部１０１は、記憶部１０２に保存されているプログラムを読み出して実行することにより、後述する家庭用植物栽培器１００の機能及びフローチャートに係る処理を実現する。また、制御部１０１は、記憶部１０２に保存されている植物の栽培制御の管理に関する栽培スクリプトに従い各種の制御を行う。なお、栽培スクリプトは、植物の栽培管理に関するシナリオが記述された栽培用シナリオデータの一例である。栽培スクリプトの詳細については、図５等を用いて後述する。
【０００９】
記憶部１０２は、制御部１０１が実行するプログラムや上述の栽培スクリプト等を含む各種のデータを保存している。
ネットワークＩ／Ｆ１０３は、家庭用植物栽培器１００をネットワークに接続するインターフェースである。
入力部１０４は、家庭用植物栽培器１００のユーザーが操作するキー等を有し、家庭用植物栽培器１００に各種操作情報等を入力するのに用いられる。
表示部１０５は、家庭用植物栽培器１００のユーザーが利用するディスプレイ等で構成され、各種情報又は画面等を表示するのに用いられる。なお、入力部１０４及び表示部１０５は、タッチパネルのように一体となっていてもよい。
苗床部１０６は、家庭用植物栽培器１００のユーザーが植物を植え付ける栽培ベッドである。本実施形態における苗床部１０６は、仕切り位置が可変な仕切り材によって仕切られた複数の可変ユニットで構成されている。ユーザーは、抜き差し可能な仕切り材の枚数を変更したり、仕切り位置を変更したりすることにより、所望する数の可変ユニットを得ることができると共に、各可変ユニットの領域を所望する広さに調整することができる。なお、制御部１０１が、入力部１０４を介して受け付けたユーザーの指示に従って、仕切り材の仕切り位置を制御するような構成としてもよい。苗床部１０６の詳細な構成について、図２を用いて説明する。
【００１０】
図２は、本実施形態における苗床部１０６の構成の一例を示す図である。
図２の（ａ）では、矩形形状の苗床部１０６が仕切り位置が可変な仕切り材によってユニットＡからユニットＤまでの４つの可変ユニットに分割されている。また、可変ユニット毎に光を照射したり、養分を供給したりすることができるような構成となっている。
図２の（ｂ）では、円柱形状の苗床部１０６が仕切り位置が可変な仕切り材によって中心から放射状にユニットＡからユニットＣまでの３つの可変ユニットに分割されている。なお、苗床部の形状はこれに限る必要はない。例えば、苗床部１０６は、図２の（ｂ）のような円柱形状ではなく多角柱のような柱体形状であってもよい。その場合も同様に、可変ユニットは、多角柱の中心から放射状に分割した形状になる。また、可変ユニット毎に光を照射したり、養分を供給したりすることができるような構成となっている。例えば、可変ユニット毎に光を照射するために、各可変ユニット内の縦方向に沿うように照明部１０８が配置されるような構成であってもよいし、各可変ユニットの上部に照明部１０８が配置されるような構成であってもよい。なお、可変ユニット内の縦方向に沿うように照明部１０８が配置されるような構成の場合、植物に光が均一に照射されるように、可変ユニットの底部（苗床）が可変ユニット内で回転するような構成であってもよい。
【００１１】
制御部１０１は、栽培スクリプトに従い、養分供給部１０７や照明部１０８等を制御し、各可変ユニットに対して個別に養分供給の制御や光の照射の制御を行う。なお、苗床部１０６の各可変ユニットには、栽培する植物に応じて予め配合された養分が養分毎に分別されて詰められている「養分カートリッジ」が備えられていてもよい。この場合、制御部１０１は、栽培スクリプトに従い養分供給部１０７を制御し、ユーザーが各可変ユニットに装填した養分カートリッジに詰められている養分を栽培する植物に供給する。これにより、ユーザーは、家庭で少量の異種の植物を効率よく栽培して収穫したり、同種の植物の栽培時期をずらして栽培したりすることができるようになる。更に、ユーザーは、予め植物毎に適切に配合された養分を用いて効率よく植物を栽培することができるようになる。
【００１２】
図１の説明に戻る。
養分供給部１０７は、苗床部１０６に水や肥料等の養分を供給する。なお、養分供給部１０７は、各可変ユニットに対して、供給する水の量を調整して供給したり、養分の滴下量を調整して液体肥料等を供給したりする。
照明部１０８は、ＬＥＤ等により苗床部１０６に光を照射する。なお、照明部１０８は、各可変ユニットに対して、ＬＥＤ光の色、強さ、周波数又は照射時間等を調整して照射する。
また、家庭用植物栽培器１００は、養分供給部１０７や照明部１０８以外にも植物の栽培制御に関する制御機器を有していてもよい。例えば、家庭用植物栽培器１００は、温度を制御する温度調整部、湿度を調整する湿度調整部、空調を行う空調部等を有していてもよい。制御部１０１は、栽培スクリプトに従い、上述した各制御機器を各可変ユニットに対して制御することで、個別に栽培制御を行う。
【００１３】
図３は、家庭用植物栽培器１００の機能構成の一例を示す図である。
家庭用植物栽培器１００は、送受信機能３０１、入力機能３０２、表示機能３０３、栽培制御機能３０４及び編集機能３０５を有する。
送受信機能３０１は、ネットワークを介して家庭用植物栽培器１００に接続されている他の機器とデータの送受信を行う。
入力機能３０２は、ユーザーによる入力部１０４の操作を介して、ユーザーの指示を受け付ける。
表示機能３０３は、表示部１０５に各種情報又は画面等を表示する。表示機能３０３が表示部１０５に表示する表示画面について、図４を用いて説明する。
【００１４】
図４は、表示機能３０３が表示部１０５に表示する表示画面の一例を示す図である。
図４の（ａ）の画面４０１は、植物を栽培する可変ユニットの選択画面であり、可変ユニットを選択するボタン４０２からボタン４０５までと、選択を確定するボタン４０６と、選択をキャンセルするボタン４０７とを含む。なお、画面４０１は、苗床部１０６が図２の（ａ）のように４つに仕切られた場合を例とした可変ユニットの選択画面である。また、記憶部１０２には、苗床部１０６の構成に関する情報が保存されているものとする。ユーザーは、ボタン４０２からボタン４０５までの中から選択することにより、植物を栽培する可変ユニットを選択する。そして、ユーザーは、ボタン４０６を選択し、可変ユニットの選択を確定する。ここでは、ユーザーは、可変ユニットＡを選択したものとする。
図４の（ｂ）の画面４０８は、ユーザーが画面４０１で選択した可変ユニットで栽培する植物の選択画面であり、植物を選択するボタン４０９からボタン４１６までと、選択を確定するボタン４１７と、選択をキャンセルするボタン４１８とを含む。なお、ここでは、植物を選択するボタンをボタン４０９からボタン４１６までとしたが、選択可能な植物の種類に応じてボタンの数は変化する。ユーザーは、ボタン４０９からボタン４１６までの中から選択することにより、栽培する植物を選択する。そして、ユーザーは、ボタン４１７を選択し、栽培する植物の選択を確定する。ここでは、ユーザーは、栽培する植物としてキュウリを選択したものとする。以上の操作により、家庭用植物栽培器１００は、可変ユニットＡでキュウリを栽培する指示を受け付ける。なお、入力機能３０２が入力部１０４を介してユーザーによるボタン４１７の選択を受け付けると、表示機能３０３が、栽培する植物に応じた養分カートリッジの品番等を表示部１０５に表示するようにしてもよい。即ち、家庭用植物栽培器１００は、栽培する植物に必要な養分カートリッジを可変ユニットに装填するようユーザーに促す。そして、ユーザーが前記養分カートリッジを可変ユニットに装填すると、家庭用植物栽培器１００は、指定された可変ユニットで指定された植物の栽培制御を開始する。なお、ここでいう養分カートリッジの品番とは、養分カートリッジを識別する識別番号の一例である。
【００１５】
図３の説明に戻る。
栽培制御機能３０４は、ユーザーからの栽培制御指示を受け付けると、記憶部１０２に保存されている栽培スクリプトに従い、各制御機器を制御して可変ユニットでの植物の栽培制御を行う。例えば、可変ユニットＡでキュウリを栽培する場合、栽培制御機能３０４は、記憶部１０２からキュウリの栽培スクリプトを取得し、取得したキュウリの栽培スクリプトに従って可変ユニットＡでのキュウリの栽培制御を行う。
栽培制御機能３０４が栽培制御を行うための栽培スクリプトについて、図５を用いて説明する。
【００１６】
図５は、栽培スクリプトの一例を示す図である。ここでは、キュウリの栽培制御に関する栽培スクリプト５０１を例に説明する。
栽培スクリプト５０１には、ユーザーがキュウリの種を可変ユニットの苗床に植え付けてからの植え付け後日数と、植え付け後日数に対応する栽培条件とが記述されている。栽培制御機能３０４は、栽培スクリプト５０１に従い、可変ユニットＡでのキュウリの栽培に関する栽培制御を行う。即ち、栽培制御機能３０４は、植え付け後日数０から１０日までは、可変ユニットの温度がＡ℃、湿度がＤ％となるように制御し、植え付け後日数１１から２０日までは、温度がＢ℃、湿度がＥ％となるように制御し、植え付け後日数２１から３０日までは、温度がＣ℃、湿度がＦ％となるように制御する。また、栽培制御機能３０４は、植え付け後日数０から１５日までは、可変ユニットＡにＧｍｌ／ｈの供給量で水分を供給するよう制御し、植え付け後日数１６から３０日までは、Ｈｍｌ／ｈの供給量で水分を供給するよう制御する。更に、栽培制御機能３０４は、植え付け後日数０から１５日までは、可変ユニットＡにＩｍｌ／ｈの供給量で液体肥料を供給するよう制御し、植え付け後日数１６から３０日までは、Ｊｍｌ／ｈの供給量で液体肥料を供給するよう制御する。この他、栽培スクリプトには、可変ユニットに照射する光の強さ等の条件が記述されていてもよい。また、栽培制御に関する期間の条件は、植え付け後日数で記述される必要はなく、植え付け後時間や一日のうちで予め定められた時間を指定するような条件が記述されていてもよい。また、栽培スクリプトには、上述した養分カートリッジの品番等が記述されていてもよい。
【００１７】
本実施形態では、ユーザーが、植物を種から育てる場合を例に説明した。しかし、ユーザーは、一部発芽した成長途中の状態からでも家庭用植物栽培器１００を用いて同様に植物を栽培することができる。この場合、家庭用植物栽培器１００は、成長過程に応じた栽培スクリプトに従って栽培制御を行う。例えば、家庭用植物栽培器１００は、植え付け後日数に応じて編集された栽培スクリプトに従って栽培制御を行うようにしてもよい。また、家庭用植物栽培器１００は、ユーザーによる入力部１０４の操作を介して植え付け後日数の情報を受け付けると、栽培スクリプトに記述された期間のうち前記植え付け後日数が既に経過したものとして、栽培制御を行うようにしてもよい。
以上の制御により、植物の種、肥料及び栽培スクリプトが同一であれば、誰でも同一の風味、栄養素のキュウリを栽培することができるようになる。また、ユーザーが複数の可変ユニットで植物を栽培する場合、栽培制御機能３０４は、各可変ユニットで栽培する植物に対応した栽培スクリプトに従い、各可変ユニットに対して、個別に栽培制御を行う。これにより、ユーザーは、複数の植物を同時に栽培して収穫することができる。
【００１８】
図３の説明に戻る。
編集機能３０５は、記憶部１０２に保存されている栽培スクリプトを、入力部１０４を介して受け付けたユーザーの指示に応じて編集する。より具体的にいうと、ユーザーは、表示部１０５を介して栽培スクリプトの内容を確認することができ、更に、入力部１０４を介して表示部１０５に表示された栽培スクリプトを編集することができる。例えば、ユーザーは、入力部１０４を介して、図５の栽培スクリプトの植え付け後日数に対応する各種の栽培条件を編集する。これにより、ユーザーは、いつ、どのような栽培条件で栽培制御を行うかを設定することができる。
この場合、栽培制御機能３０４は、編集機能３０５で編集された栽培スクリプトに従い、栽培制御を行う。
【００１９】
図６は、本実施形態における家庭用植物栽培器１００の栽培制御開始処理の一例を示すフローチャートである。
Ｓ６０１において、入力機能３０２は、ユーザーによる入力部１０４の操作を介して、図４の（a）で説明した選択画面から、植物の栽培に利用する可変ユニットの選択指示を受け付け、処理をＳ６０２に進める。
Ｓ６０２において、入力機能３０２は、ユーザーによる入力部１０４の操作を介して、図４の（ｂ）で説明した選択画面から、Ｓ６０１で選択指示を受け付けた可変ユニットで栽培する植物の選択指示を受付け、処理をＳ６０３に進める。
Ｓ６０３において、栽培制御機能３０４は、Ｓ６０２で選択指示を受け付けた植物に対応する栽培スクリプトを記憶部１０２から取得する。そして、表示機能３０３は、前記栽培スクリプトに記述された養分カートリッジの品番と、前記品番の養分カートリッジを装填する指示情報を表示部１０５に表示する。そして、栽培制御機能３０４は、前記養分カートリッジの装填を確認すると、取得した栽培スクリプトに従い、Ｓ６０１で選択指示を受け付けた可変ユニットで、Ｓ６０２で選択指示を受け付けた植物の栽培制御を開始し、処理をＳ６０４に進める。
Ｓ６０４において、入力機能３０２は、ユーザーによる入力部１０４の操作を介して、他の可変ユニットの選択指示を受け付けたか否かを判定し、受け付けたと判定した場合、処理をＳ６０１に戻す。一方、Ｓ６０４において、入力機能３０２は、他の可変ユニットの選択指示を受付けなかったと判定した場合、本フローチャートにおける栽培制御開始処理が終了する。
【００２０】
以上、本実施形態によれば、家庭用植物栽培器１００は、複数の可変ユニットの各々に対して、個別に栽培制御を行うことができる。即ち、家庭用植物栽培器１００は、異なる種類の植物を同時に栽培制御したり、同種の植物の栽培時期をずらして栽培制御したりすることができる。これにより、ユーザーは、効率よく植物を栽培して収穫することができるようになる。
【００２１】
＜実施形態２＞
本実施形態では、実施形態１で上述した家庭用植物栽培器１００を含むシステムを用いた効率的な植物の栽培方法について説明する。
本実施形態において、家庭用植物栽培器１００は、予め記憶している栽培スクリプトに従って栽培制御する他、ダウンロード機能により新たにダウンロードしたメーカーの新たな栽培スクリプトに従って栽培制御したり、ユーザーが編集機能により編集した栽培スクリプトに従って栽培制御したりする。また、家庭用植物栽培器１００は、ユーザーにより編集された栽培スクリプトをアップロード機能によりアップロードする。これにより、ユーザーは、編集した栽培スクリプトを他のユーザーに公開することができる。更に、研究所等の研究者は、ユーザーが編集した栽培スクリプトの効果を検証したり、分析したりすることができるようになる。
以下、本実施形態の詳細について説明する。
【００２２】
図７は、本実施形態におけるシステム構成の一例を示す図である。
本システムにおける家庭用植物栽培器１００のハードウェア構成及び機能構成は、実施形態１と同様であるため、説明を省略する。
サーバ装置７０２は、ＣＰＵ及び各種のプログラムやデータを保存する記憶装置を有している。サーバ装置７０２のＣＰＵがサーバ装置７０２の記憶装置に保存されているプログラムを実行することにより、本システムにおけるサーバ装置７０２の機能が実現される。サーバ装置７０３の構成、コンピュータ７０４からコンピュータ７０６までの構成及びタブレットＰＣ７０１の構成についても、サーバ装置７０２と同様であるものとする。
なお、タブレットＰＣ７０１の記憶装置には、栽培アプリケーションプログラムがインストールされており、タブレットＰＣ７０１のＣＰＵが栽培アプリケーションプログラムを実行することにより、後述する栽培アプリケーションの機能が実現される。
【００２３】
図７のシステムでは、ネットワーク７００に、各家庭における家庭用植物栽培器１００のユーザーが使用するタブレットＰＣ７０１が無線で接続されている。ここで、タブレットＰＣ７０１は、無線で家庭用植物栽培器１００と通信することができる。更に、ネットワーク７００に、栽培スクリプトを管理するサーバ装置７０２と、栄養素メーカーの商品や種苗メーカーの商品等を販売するＥＣ（Ｅｌｅｃｔｒｏｎｉｃ  Ｃｏｍｍｅｒｃｅ）ショップのサーバ装置７０３とが接続されている。ユーザーは、タブレットＰＣ７０１を介してサーバ装置７０３にアクセスし、栄養素メーカーの商品や種苗メーカーの商品等をオンラインで購入し、家庭用植物栽培器１００での植物育成に用いることができる。より具体的にいうと、ユーザーは、タブレットＰＣ７０１を介してサーバ装置７０３にアクセスし、植物の種、苗及び上述した養分カートリッジ等を購入し、家庭用植物栽培器１００での植物育成に用いることができる。サーバ装置７０２には、ネットワーク７０８を介して栽培スクリプトの効果を分析する研究所等のコンピュータ７０６及び種苗メーカーのコンピュータ７０５が接続されている。サーバ装置７０３には、ネットワーク７０７を介して栄養素メーカーのコンピュータ７０４及び種苗メーカーのコンピュータ７０５が接続されている。
【００２４】
家庭用植物栽培器１００は、予め記憶している標準の栽培スクリプトに従って栽培制御を行うこともできるし、タブレットＰＣ７０１と通信して受信したメーカーの栽培スクリプトに従って栽培制御を行うこともできる。また、家庭用植物栽培器１００は、ユーザーの指示に応じて編集した栽培スクリプトに従って栽培制御を行うこともできる。即ち、ユーザーは、家庭用植物栽培器１００を用いて、予め定められた育成方法で植物を育成することもできるし、カスタマイズした育成方法で植物を育成することもできる。
タブレットＰＣ７０１は、栽培アプリケーションにより、ネットワーク７００を介して、サーバ装置７０２が管理している栽培スクリプトを受信して家庭用植物栽培器１００に送信したり、編集された栽培スクリプトを家庭用植物栽培器１００から受信してサーバ装置７０２に送信したりする。これにより、家庭用植物栽培器１００のユーザーは、カスタマイズした栽培プログラムを、タブレットＰＣ７０１を介して他のユーザーに公開することができる。また、本システムによれば、植物育成に関して提供されたテーマに対して、ユーザーが栽培実験等を通してカスタマイズした栽培スクリプトを応募したりすることができるソーシャル的な実験市場を形成することができるようなる。即ち、植物を効率よく栽培するための栽培ノウハウを他のユーザーと共有することができるようになる。なお、本システムでは、タブレットＰＣ７０１を用いることとしたが、これに限る必要はなく、携帯端末等の他の情報処理装置を使用するようにしてもよい。
【００２５】
サーバ装置７０２は、栽培スクリプトを管理している。より具体的にいうと、サーバ装置７０２は、種苗メーカーのコンピュータ７０５から受信したメーカーの栽培スクリプトやタブレットＰＣ７０１から受信したユーザーによりカスタマイズされた栽培スクリプト等の栽培スクリプトを管理している。更に、サーバ装置７０２は、タブレットＰＣ７０１からネットワーク７００を介して受信したカスタマイズされた栽培スクリプトを、ネットワーク７０８を介して研究所等のコンピュータ７０６に送信する。これにより、研究所等の研究者は、研究材料としての栽培スクリプトを容易に取得することができるようになる。また、研究所等の研究者は、カスタマイズされた栽培スクリプトの効果を検証したり、分析したりする。より具体的にいうと、研究所等の研究者は、カスタマイズされた栽培スクリプトに基づいて、ユーザーが使用した家庭用植物栽培器１００と同一の条件での栽培制御による植物の育成を検証する。そして、研究所等の研究者は、収穫した植物の品質や栄養成分等を分析する。即ち、研究所等の研究者は、実際にユーザーが育成した植物を用いることなく、植物育成の研究をすることができるようになる。更に、植物の効率的な育成に有効な栽培スクリプトが、種苗メーカーに提供されたり、ユーザーに提供されたりすることで、市場の活性化につながる。
【００２６】
以上、本実施形態によれば、ユーザーは、カスタマイズした育成方法、即ち、カスタマイズした栽培スクリプトを、タブレットＰＣ７０１を介してネットワーク上に公開して共有することができるようなる。これにより、栽培ノウハウがユーザー同士で共有され、有効な栽培スクリプトを容易に得ることができるようになる。また、研究所等の研究者は、植物の育成に関して有効な栽培スクリプトを効率的に検証することができるようになる。これにより、有効な栽培スクリプトが市場に提供され、効率的な植物の栽培が実現される。
【００２７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
また、ユーザーは、タブレットＰＣ７０１の栽培アプリケーションにより、図４を用いて説明した選択画面の操作をタブレットＰＣ７０１から操作することができる。これにより、ユーザーは、図４の選択画面の操作を、家庭用植物栽培器１００の入力部１０４を操作することで行わずに、タブレットＰＣ７０１を操作することで行うことができる。
【００２８】
以上、上述した各実施形態によれば、家庭用植物栽培器１００を用いて効率のよい植物の栽培制御を実現することができるようになる。
【００２９】
以上、本発明の好ましい形態について詳述したが、本実施形態は係る特定の実施形態に限定されるものではなく、特許請求の範囲に記載された本発明の要旨の範囲内において、種々の変形・変更が可能である。
【図１】
2015008698.tif 000003
【図２】
2015008698.tif 000004
【図３】
2015008698.tif 000005
【図４】
2015008698.tif 000006
【図５】
2015008698.tif 000007
【図６】
2015008698.tif 000008
【図７】
2015008698.tif 000009